(57)【要約】【課題】知的財産管理システムの演算負荷を下げながらも、ユーザビリティーに優れた知的財産管理システムを提供する。【解決手段】知的財産管理システム１は、演算部１６と、知的財産に関する情報が複数の段階に区切られたステータス情報Ｓと、知的財産に関する情報の詳細データＲが記録された第１データベース１８と、ステータス情報Ｓに対応する複数のテンプレートページと、を備える。演算部１６は、少なくともテンプレートページを表示するための第１ボタンＢ１を含む、知的財産に関する情報の一覧をユーザ毎に表示する処理と、第１ボタンがクリックされた際に、第１データベース１８からステータス情報Ｓと、詳細データＲと、を取得する処理と、ステータス情報Ｓに対応するテンプレートページを選択し表示させる処理と、を実行する。【選択図】図１
2019204187.tif 000002
【特許請求の範囲】
【請求項１】
知的財産に関する情報をユーザ毎に表示する知的財産管理システムであって、
演算部と、
前記知的財産に関する情報が複数の段階に区切られたステータス情報と、前記知的財産に関する情報の詳細データが記録された第１データベースと、
前記ステータス情報に対応する複数のテンプレートページと、
を備え、
前記ステータス情報に対応した前記テンプレートページを表示するために前記ステータス情報に関連付けられた第１ボタンを含む、前記知的財産に関する情報の一覧を前記ユーザ毎に表示する処理と、
前記第１ボタンがクリックされた際に、前記第１ボタンに関連付けられたステータス情報に対応するテンプレートページを選択し表示させる処理と、
取得された前記ステータス情報に対応するテンプレートページを選択し表示させる処理と、
選択された前記テンプレートページに、取得された前記詳細データを表示するための第２ボタンを表示する処理と、
を前記演算部に実行させる知的財産管理システム。
【請求項２】
前記詳細データは、前記知的財産に関する情報のレポートを含み、
前記レポートが前記第１データベースに記録されている場合に、前記テンプレートページに対し、前記第2ボタンを表示する処理、
を前記演算部に実行させる請求項１に記載の知的財産管理システム。
【請求項３】
前記レポートが前記第１データベースに記録されている場合に、前記レポートに対する前記ユーザの回答を入力するフォームを表示するための第３ボタンを表示する処理と、
前記第３ボタンをクリックした際に、前記フォームを表示する処理と、
前記フォームの入力内容をメール送信する処理と、
を前記演算部に実行させる請求項２に記載の知的財産管理システム。
【請求項４】
前記詳細データは、前記知的財産に関する情報の費用に関する情報を含み、
前記第１データベースに前記費用に関する情報が入力された場合に、前記費用の支払いを行うページを表示するための第４ボタンを表示する処理と、
前記費用の決済を行う決済画面を表示する処理と、
を前記演算部に実行させる請求項１から３のいずれか１項に記載の知的財産管理システム。
【請求項５】
前記詳細データは、前記知的財産に関する情報の期限に関する情報を含み、
前記第１データベースに前記期限に関する情報が入力された場合に、前記期限に関する情報を前記テンプレートページに表示する処理、
を前記演算部に実行させる請求項１から４のいずれか１項に記載の知的財産管理システム。
【請求項６】
前記一覧を表示する際に、暗号を作成する処理と、
前記第１ボタンがクリックされた際に、前記暗号を取得する処理と、
前記暗号の取得に成功した際に、前記第１データベースから前記ステータス情報と、 前記詳細データを取得する処理と、を前記演算部に実行させる請求項１から５のいずれか１項に記載の知的財産管理システム。
【請求項７】
前記テンプレートページは、
知的財産権の出願書類準備前段階に関する情報を表示する第１テンプレートページと、
出願書類作成から出願完了までの段階に関する情報を表示する第２テンプレートページと、
審査が行われている段階に関する情報を表示する第３テンプレートページと、
審査が完了し登録査定が下りてから以降の段階に関する情報を表示する第４テンプレートページと、
で構成される、
請求項１から６のいずれか１項に記載の知的財産管理システム。
【発明の詳細な説明】
【技術分野】
【０００１】
本発明は、知的財産管理システムに関する。
【背景技術】
【０００２】
従来、知的財産管理システムが、企業の知的財産部門または特許事務所の中で使われている。また、これらに所属する従業員は、知的財産管理システムの使用に関する知識を習得するために多くの時間とコストをかけている。しかし、知的財産部門を有さない個人事業主や、中小企業にとってこれら複雑なシステムを扱うことは難しく、代理人を通して、メールや紙媒体を都度確認するため、自らの持つ知的財産に関する情報を管理し難い状況となっていた。また、知的財産管理システムは、専門的な知識を要する知的財産に関する情報を扱うため、複雑なシステムとなりやすい。そのため、データベースに保管した情報を、様々なテンプレートに当てはめて表示している。例えば、特許文献１では、書誌的事項の項目ごとの情報を様式テンプレートに入れ込んで表示させていることが記載されている。
【先行技術文献】
【特許文献】
【０００３】
【特許文献１】特開２００７−１０８８４５号公報
【発明の概要】
【発明が解決しようとする課題】
【０００４】
特許文献１の知的財産管理システムでは、表示する項目が多くなるほど生成するページ数が多くなる。その結果、管理システムの演算負荷が大きくなる。また、様々な様式テンプレートが生成されるため、ユーザにとって適切なテンプレートが表示されているか確認し難い。その結果、知的財産または知的財産管理システムに関する知識のないユーザにとって、ワークフローが見え難い。本発明の課題は、知的財産管理システムの演算負荷を下げながらも、ユーザビリティーに優れた知的財産管理システムを提供することにある。
【課題を解決するための手段】
【０００５】
本発明に係る知的財産管理システムは、知的財産に関する情報をユーザ毎に表示する知的財産管理システムであって、演算部と、知的財産に関する情報が複数の段階に区切られたステータス情報と、知的財産に関する情報の詳細データが記録された第１データベースと、ステータス情報に対応する複数のテンプレートページと、を備える。知的財産管理システムは、ステータス情報に対応したテンプレートページを表示するためにステータス情報に関連付けられた第１ボタンを含む、知的財産に関する情報の一覧をユーザ毎に表示する処理と、第１ボタンがクリックされた際に、第１ボタンに関連付けられたステータス情報に対応するテンプレートページを選択し表示させる処理と、を演算部に実行させる。さらに、知的財産管理システムは、テンプレートページに詳細データを表示するための第２ボタンを表示する処理と、を演算部に実行させる。
【０００６】
知的財産管理システムの詳細データは、知的財産に関する情報のレポートを含んでもよい。知的財産管理システムは、レポートが第１データベースに記録されている場合に、テンプレートページに対し、第2ボタンを表示する処理と、を演算部に実行させてもよい。
【０００７】
知的財産管理システムは、レポートが第１データベースに記録されている場合に、レポートに対するユーザの回答を入力するフォームを表示するための第３ボタンを表示する処理、を演算部に実行させてもよい。さらに知的財産管理システムは、第３ボタンをクリックした際に、フォームを表示する処理と、フォームの入力内容をメール送信する処理と、を演算部に実行させてもよい。
【０００８】
知的財産管理システムの詳細データは、知的財産に関する情報の費用に関する情報を含んでもよい。知的財産管理システムは、第１データベースに費用に関する情報が入力された場合に、費用の支払いを行うページを表示するための第４ボタンを表示する処理と、費用の決済を行う決済画面を表示する処理と、を演算部に実行させてもよい。
【０００９】
知的財産管理システムの詳細データは、知的財産に関する情報の期限に関する情報を含んでもよい。知的財産管理システムは、第１データベースに期限に関する情報が入力された場合に、期限に関する情報をテンプレートに表示する処理、を演算部に実行させてもよい。
【００１０】
知的財産管理システムは、一覧を表示する際に、暗号を作成する処理と、第１ボタンがクリックされた際に、暗号を取得する処理と、暗号の取得に成功した際に、ステータス情報と、詳細データを取得する処理と、を演算部に実行させてもよい。
【００１１】
テンプレートページは、知的財産権の出願書類準備前段階に関する情報を表示する第１テンプレートページと、出願書類作成から出願完了までの段階に関する情報を表示する第２テンプレートページと、審査が行われている段階に関する情報を表示する第３テンプレートページと、審査が完了し登録査定が下りてから以降の段階に関する情報を表示する第４テンプレートページと、で構成されてもよい。
【発明の効果】
【００１２】
本発明によれば、知的財産管理システムの演算負荷を減らしながらも、ユーザビリティーに優れた知的財産管理システムを提供できる。
【図面の簡単な説明】
【００１３】
【図１】本発明の知的財産管理システムのシステム図。
【図２】本発明の第１データベースの例を示す図。
【図３】本発明の第２データベースの例を示す図。
【図４】本発明の一覧表示画面の例を示す図。
【図５】本発明の第１テンプレートにおける画面の例を示す図。
【図６】本発明の第１テンプレートに第２ボタンと第３ボタンが表示された画面の例を示す図。
【図７】本発明の第２テンプレートにおける画面の例を示す図。
【図８】本発明の第３テンプレートにおける画面の例を示す図。
【図９】本発明の第３テンプレートにおける第２ボタンがクリックされた際の入力画面の例を示す図。
【図１０】本発明の第４テンプレートにおける画面の例を示す図。
【図１１】本発明の第４テンプレートにおける第３画面の例を示す図。
【図１２】本発明のサーバ装置のプログラムのフローチャートを示す図。
【図１３】本発明のレポートが記録されている際のサブフローチャートを示す図。
【図１４】本発明の費用が記録されている際のサブフローチャートを示す図。
【図１５】本発明の期限が記録されている際のフローチャートを示す図。
【発明を実施するための形態】
【００１４】
以下、実施形態について図面を参照しながら説明する。
【００１５】
図１に示すように、知的財産管理システム１は、サーバ装置２と、ユーザ端末４と、管理者端末６と、ネットワーク８と、を含む。サーバ装置２は、ネットワーク８を介してユーザ端末４に接続され、ユーザ端末４に知的財産に関する情報をユーザ毎に表示する。一方、サーバ装置２は、ユーザによりユーザ端末４が操作された際は、操作された情報を受信する。ユーザ端末４は、実際には、ユーザ毎に複数の端末があるが、本実施形態はそのうちの１台を用いて説明する。
【００１６】
サーバ装置２は、ネットワーク８を介して管理者端末６とも接続される。管理者端末６は、国内の特許事務所や、海外の特許事務所がユーザの知的財産に関する情報を管理するための端末である。サーバ装置２は、管理者端末６からアップロードされたファイルやデータなどを受信し、これらファイルやデータを記憶可能に構成される。
【００１７】
サーバ装置２は、記憶部１０と、受送信部１２と、メールサーバ１４と、演算部１６と、で構成される。サーバ装置２は、ＣＰＵ、ＲＡＭ、ＲＯＭなどで構成される電子計算機である。
【００１８】
記憶部１０には、第１データベース１８と、第２データベース２０と、プログラム２２と、一覧ページ２３と、第１テンプレートページ２４と、第２テンプレートページ２６と、第３テンプレートページ２８と、第４テンプレートページ３０と、回答ページ３２と、決済ページ３４が記憶されている。記憶部１０に記憶される情報は、これに限定されるものではなく、例えば、決済処理を行うための情報や、各種ページのスタイリングを行うための情報など、種々情報が記憶されている。
【００１９】
図２に示すように、第１データベース１８のテーブルの各欄には、少なくとも、知的財産に関する情報が複数の段階に区切られたステータス情報Ｓと、知的財産に関する情報の詳細データＲ１からＲ６が記録されている。
【００２０】
ステータス情報Ｓは、知的財産に関する情報のうち、特許出願、実用新案登録出願、意匠登録出願、商標登録出願などの出願に関する情報を、複数の段階に分けた情報である。本実施形態では、複数の段階は、知的財産権の出願書類準備前段階と、出願書類作成から出願完了までの段階と、審査が行われている段階と、審査が完了し登録査定が下りてから以降の段階の４つの段階である。すなわち、ステータス情報Ｓは、これら４つの段階に分けた際に、どの段階にいるかを示すための情報である。ステータス情報Ｓは、知的財産に関する一連の手続きに含まれる複数の段階のうちの現行の段階を示すための情報ともいえる。本実施形態では、知的財産権の出願書類準備前段階をＳＴＡＧＥ１とし、出願書類作成から出願完了までの段階をＳＴＡＧＥ２とし、審査が行われている段階をＳＴＡＧＥ３とし、審査が完了し登録査定が下りてから以降の段階をＳＴＡＧＥ４として、ステータス情報Ｓが記録されている。
【００２１】
詳細データＲは、例えば、知的財産の出願に関する情報である出願番号Ｒ１、出願日Ｒ２、出願の管理番号Ｒ３、出願内容や請求書、中間手続きに関するレポートＲ４、出願に関する費用Ｒ５、出願手続きに関する期限Ｒ６で構成される。詳細データＲは、これに限定されるものではなく、例えば、発明に関する報奨金の情報、発明者の情報、ライセンスに関する情報、発明の提案書のレポート、契約書に関する情報、などが含まれる。すなわち、詳細データＲは、知的財産に関する情報であれば種々の情報が含まれる。
【００２２】
ステータス情報Ｓは、管理者端末６から入力してもよいし、第１データベース１８に記憶された詳細データＲ１からＲ６から、プログラム２２によって自動的に判定してもよい。例えば、詳細データＲ４が出願書類に関するレポートであった場合、レポートが登録されたことを検知すると、ＳＴＡＧＥ１からＳＴＡＧＥ２へ自動的にステータス情報Ｓを切り替えてもよい。同様に、詳細データＲ１の出願番号が入力されたことを検知すると、自動的にＳＴＡＧＥ２からＳＴＡＧＥ３へステータス情報Ｓを切り替えても良い。さらに、詳細データＲ４が登録査定に関するレポートであった場合、レポートが登録されたことを検知して、ＳＴＡＧＥ３からＳＴＡＧＥ４へステータス情報Ｓを切り替えてもよい。
【００２３】
図３に示すように、第２データベース２０は、ユーザ情報Ｕを記録するデータベースである。第２データベース２０は、例えばユーザＩＤＵ１と、ユーザ名Ｕ２と、ログインパスＵ３と、管理番号Ｒ３などが記録されている。ユーザ情報Ｕは、これに限定されるものではなく、ユーザに関する情報であればよい。
【００２４】
なお、第１データベース１８と、第２データベース２０は、別々のテーブルとして管理されている。これにより、例えば、ログイン画面において、ユーザ情報Ｕに不正アクセスされた際も、ユーザ情報Ｕから詳細データＲの情報が流出しないようにすることができる。その結果セキュリティーが向上する。
【００２５】
一方、ユーザＩＤＵ１と、管理番号Ｒ３は、第１データベース１８と、第２データベース２０の双方に記録されている。これにより、第１データベース１８と、第２データベース２０のテーブルを分けて管理しながらも、第１データベース１８の記録内容と、第２データベース２０の記録内容を関連付けすることができる。これにより、データベースの管理が容易になる。なお、第１データベース１８と、第２データベース２０の双方に記録する情報は複数であってもよいし、一つであってもよい。
【００２６】
プログラム２２は、第１データベース１８と、第２データベース２０から、種々の情報やデータを取得する処理と、一覧ページ２３を表示する処理と、第１テンプレートページ２４から第４テンプレートページ３０の中から１つを選択し表示する処理と、第１ボタンＢ１から第４ボタンＢ４の何れかを第１テンプレートページ２４から第４テンプレートページ３０の何れかに表示させる処理を、演算部１６に実行させるためのプログラムである。また、プログラム２２は、受送信部１２と、メールサーバ１４と、を起動させて、ユーザ端末４または管理者端末６に対し、情報やメールを送信する処理を実行させる。また、プログラム２２は、その他記憶部１０の記憶状態の管理や、受送信部１２の受信状態の表示や、エラーメッセージの管理などを実行させてもよい。また、プログラム２２は、暗号の作成や取得を実行させてもよい。プログラム２２は、記憶部１０に記憶される。
【００２７】
図４に示すように、一覧ページ２３は、少なくとも第１テンプレートページ２４から第４テンプレートページ３０のいずれかを表示するための第１ボタンＢ１を含む一覧を、ユーザ毎に表示するためのページである。本実施形態では、一覧ページ２３は、第１データベース１８から取得した管理番号Ｒ３と、ステータス情報Ｓと、出願番号Ｒ１と、出願日Ｒ２が表示されている。一覧ページ２３に表示する内容は、これに限定されるものではなく、例えば、詳細データＲに発明の名称が記録されている場合は、発明の名称を表示してもよい。また、詳細データＲに、商標の称呼やロゴデータが記録されている場合は、これらを表示してもよい。いずれにせよ、一覧ページ２３には、ある特定のユーザの知的財産に関する情報の一覧が表示されればよい。
【００２８】
図５と図６に示すように、第１テンプレートページ２４は、ステータス情報ＳのＳＴＡＧＥ１に対応する情報を表示するページである。すなわち、第１テンプレートページ２４は、知的財産権の出願書類準備前段階において、ユーザが必要な情報が表示される。第１テンプレートページ２４のページ中央部には、３段の枠が設けられ、最上段に現在の段階がＳＴＡＧＥ１である点が、ユーザに認識可能に表示される。枠の中段には、ユーザに対して、ＳＴＡＧＥ１で必要な書類や、手続きの情報がメッセージとして表示される。第１テンプレートページ２４の枠の下段には、詳細データＲにレポートなどが記録された際に、図６に示すような第２ボタンＢ２が表示され、ユーザがレポートを確認可能な状態となる。また、第１テンプレートページ２４には、同時にユーザが管理者に対し回答を入力するフォームを表示するための第３ボタンＢ３が表示される。このように、管理者側が行う知的財産に関する情報の手続きの進捗状態に合わせて、第２ボタンＢ２と第３ボタンＢ３を表示することで、ユーザ側が行うべき手続きが認識しやすくなり、ユーザビリティーが向上する。
【００２９】
図７に示すように、第２テンプレートページ２６は、ステータス情報ＳのＳＴＡＧＥ２に対応する情報を表示するページである。すなわち、第２テンプレートページ２６は、出願書類作成から出願完了までの段階において、ユーザが必要な情報が表示される。第２テンプレートページ２６のページ上部には、ＳＴＡＧＥ１の３段の枠が表示される。しかし、第１テンプレートページ２４で表示されたメッセージは表示されないように構成されている。第２テンプレートページ２６の中央部には、３段の枠が設けられ、最上段に現在の段階がＳＴＡＧＥ２である点がユーザに認識可能に表示される。第２テンプレートページ２６の枠の中段には、ユーザに対して、ＳＴＡＧＥ２で必要な書類や、手続きの情報がメッセージとして表示される。また、第２テンプレートページ２６の枠の下段には、第１データベース１８の詳細データＲに出願内容に関するレポートが記録されている場合に、第２ボタンＢ２が表示される。さらに、第１データベース１８の詳細データＲに出願に係る費用Ｒ５が記録されている場合に、費用の支払いを行うページを表示するための第４ボタンＢ４が表示される。
【００３０】
図８に示すように、第３テンプレートページ２８は、ステータス情報ＳのＳＴＡＧＥ３に対応する情報を表示するページである。すなわち、第３テンプレートページ２８は、審査が行われている段階において、ユーザが必要な情報が表示される。第３テンプレートページ２８のページ上方には、ＳＴＡＧＥ１とＳＴＡＧＥ２の枠が表示される。一方、第３テンプレートページ２８のＳＴＡＧＥ１とＳＴＡＧＥ２の枠の中段には、メッセージは表示されないように構成される。第３テンプレートページ２８のページ中央部には、３段の枠が設けられ、最上段に現在の段階がＳＴＡＧＥ３である点が、ユーザが認識可能に表示される。枠の中段には、ユーザに対して、ＳＴＡＧＥ３で必要な書類や、手続きの情報がメッセージとして表示される。また、第３テンプレートページ２８の枠の下段には、第１データベース１８の詳細データＲに審査結果に関するレポートが記録されている場合に、第２ボタンＢ２が表示される。また、第１テンプレートページ２４には、同時にユーザが管理者に対し回答を入力するフォームを表示するための第３ボタンＢ３が表示される。
【００３１】
図９に示すように、回答ページ３２は、第３ボタンＢ３がクリックされた際に、レポートに対するユーザの回答を入力するフォームが表示されるページである。本実施形態では、ＳＴＡＧＥ３の審査結果報告に対する回答をするフォームを例にあげて説明するが、これに限定されるものではなく、各ステータスや、回答内容に合わせて適宜変更可能である。回答ページ３２には、第１データベースから取得した出願番号Ｒ１や管理番号Ｒ３が表示される。また、拒絶理由に対する回答要否のラジオボタンや、ユーザがコメントを入力可能な欄と、送信ボタンＢ５が設けられる。回答ページ３２は、これに加えて、添付ファイルなどを送信可能な欄を設けてもよい。ユーザが、送信ボタンＢ５をクリックすると、プログラム２２が、メールサーバ１４を起動させて、ユーザが入力した情報及び、出願番号Ｒ１や管理番号Ｒ３の情報をメール送信する。なお、回答ページ３２において、ユーザが入力した情報は、メールサーバ１４経由で管理者に届く。ユーザが添付した添付ファイルにウィルスが混入し第１データベースを壊されることや、悪意のあるユーザが特殊なコメントをフォームに入力することで、第１データベース１８へアクセスされることを防止するためである。
【００３２】
図１０に示すように、第４テンプレートページ３０は、ステータス情報ＳのＳＴＡＧＥ４に対応する情報を表示するページである。すなわち、第４テンプレートページ３０は、審査が完了し登録査定が下りてから以降の段階において、ユーザが必要な情報が表示される。第４テンプレートページ３０のページ上方には、ＳＴＡＧＥ１とＳＴＡＧＥ２とＳＴＡＧＥ３の枠が表示される。一方、第４テンプレートページ３０のＳＴＡＧＥ１とＳＴＡＧＥ２とＳＴＡＧＥ３の枠の中段には、メッセージは表示されないように構成される。第４テンプレートページ３０のページ中央部には、３段の枠が設けられ、最上段に現在の段階がＳＴＡＧＥ４である点が、ユーザが認識可能に表示される。枠の中段には、ユーザに対して、ＳＴＡＧＥ４で必要な書類や、手続きの情報がメッセージとして表示される。また、第４テンプレートページ３０の枠の下段には、第１データベース１８の詳細データＲに登録査定に関するレポートが記録されている場合に、第２ボタンＢ２が表示される。また、第４テンプレートページ３０には、第１データベース１８の詳細データＲに登録料に関する費用Ｒ５が入力された場合に、決済を行うためのページを表示するための第４ボタンＢ４が表示される。さらに、第４テンプレートページ３０には、第１データベース１８の詳細データＲに期限Ｒ６が入力された場合に、期限に関するメッセージＭを表示する。
【００３３】
図１１に示すように、決済ページ３４は、決済処理を行うページである。決済ページ３４では、第１データベース１８の詳細データＲの費用Ｒ５の情報を取得し、クレジットカードや銀行振り込みが行えるように処理されている。
【００３４】
図１に示すように、受送信部１２は、ネットワーク８を介してユーザ端末４と、管理者端末６と、に接続して、知的財産に関する情報の送受信を行う。受送信部１２は、プログラム２２の指示にしたがって、ユーザ端末４や管理者端末６に知的財産に関する情報を受送信する。受送信部１２は、ユーザ端末４や管理者端末６から受信した知的財産に関する情報を、記憶部１０やメールサーバ１４に伝達する。受送信部１２の通信は、有線、無線のいずれで実行されてもよく、互いの通信が実行できるのであれば、どのような通信プロトコルを用いてもよい。
【００３５】
メールサーバ１４は、受送信部１２を介してユーザ端末４や管理者端末６に電子メールの送受信を行う。例えば、図９に示すように、回答ページ３２の入力欄に、ユーザにより文字情報や添付ファイルが入力された場合は、プログラム２２によって、メールサーバ１４が起動され、第２データベース２０に記録されたユーザ情報に基づいて電子メールが作成される。メールサーバ１４は、作成された電子メールを、受送信部１２を介して、管理者端末６へ送信する。
【００３６】
演算部１６は、プログラム２２に含まれたコードまたは命令によって実現する機能を実行する。演算部１６は、例えば、ＣＰＵ（中央処理装置）やマイクロプロセッサなどで構成される。
【００３７】
ユーザ端末４および管理者端末６は、端末通信部３６、４０と、端末表示部３８、４２を有する。ユーザ端末４および管理者端末６は、サーバ装置２から知的財産に関する情報を、端末通信部３６、４０を介して受信し、端末表示部３８、４２に表示する。なお、第２データベース２０は、ユーザ端末４からのアクセス制限が設けられ、管理者端末６からのみアクセス可能である。ユーザ端末４および管理者端末６は、実際にはＣＰＵ、ＲＡＭ、ＲＯＭなどを備えて構成される電子計算機である。
【００３８】
つぎに図１２から図１５をもちいて、プログラム２２が行う処理について説明する。
【００３９】
図１２に示すように、プログラム２２は、データベースに接続したのち（Ｓ１）、第１データベース１８から詳細データＲを取得する処理を実行する（Ｓ２）。また、第２データベース２０からユーザ情報Ｕを取得する処理を実行する（Ｓ２）。プログラム２２は、その後暗号を作成し（Ｓ３）、データベースとの接続を一旦切断する処理を実行する（Ｓ４）。プログラム２２は、取得したユーザ情報Ｕと、ユーザ情報Ｕに対応した詳細データＲの一部を用いて、一覧ページ２３を生成し表示する処理を実行する（Ｓ５）。すなわち、ユーザ毎に詳細データＲを表示する処理を実行する。
【００４０】
次にプログラム２２は、第１ボタンＢ１がクリックされたか否か判断し（Ｓ６）、クリックされていない場合は（Ｓ６  ＮＯ参照）、一覧ページ２３の表示を続ける処理を実行する。一方、第１ボタンＢ１がクリックされた場合は（Ｓ６  Ｙｅｓ参照）、Ｓ３で作成した暗号を取得する（Ｓ７）。プログラム２２は、暗号を取得できない場合は、スタートに処理を戻す（Ｓ７  ＮＯ参照）。プログラム２２は、暗号を取得できた場合は（Ｓ７  ＹＥＳ参照）、データベースに再度接続する処理を実行する（Ｓ８）。なお、暗号が取得できない場合とは、ユーザが一覧ページを経由せず、テンプレートページへ直接アクセスする場合である。この場合、一覧ページを経由していないため、暗号が作成されず、詳細データＲを表示する処理が行われない。プログラム２２は、詳細データＲの、ステータス情報Ｓと、その他の詳細データＲを第１データベース１８から取得する処理を実行する（Ｓ９）。プログラム２２は、取得したステータス情報Ｓに対応するテンプレートページを、第１テンプレートページ２４から第４テンプレートページ３０の中から一つ選択し、表示させる（Ｓ１０）。プログラム２２は、詳細データＲの中から、レポートＲ４、費用Ｒ５、期限Ｒ６などの有無を取得する（Ｓ１１）。プログラム２２は、詳細データＲがある場合は（Ｓ１１  ＹＥＳ）、図１３から図１５のフローチャートのＡへ処理を進める。プログラム２２は、詳細データＲがない場合は、テンプレートページを表示させたまま処理を終了する（Ｓ１１  ＮＯ）。
【００４１】
図１３に示すとおり、プログラム２２は、取得した詳細データＲのうち、レポートＲ４がある場合（Ｓ２０１）は、テンプレートページに第２ボタンＢ２及び第３ボタンＢ３を表示する処理を実行する（Ｓ２０２  Ｓ２０３）。なお、第３ボタンＢ３は、レポート内容が回答を要しない場合は、表示されないように設定できる。プログラム２２は、第２ボタンＢ２がクリックされると（Ｓ２０４  ＹＥＳ）、レポートを表示する（Ｓ２０５）。プログラム２２は、第３ボタンがクリックされると（Ｓ２０６  ＹＥＳ）、回答ページ３２を表示する処理を実行させる（Ｓ２０７）。プログラム２２は、第２ボタンＢ２と、第３ボタンＢ３のいずれもクリックされない場合は（Ｓ２０４ＮＯ  Ｓ２０６ＮＯ）、テンプレートページを表示させたまま処理を終了する（図１２  Ｂ参照）。
【００４２】
図１４に示すように、プログラム２２は、取得した詳細データＲのうち、費用Ｒ５がある場合は、テンプレートページに第４ボタンＢ４を表示する処理を実行する（Ｓ４０１  Ｓ４０２）。プログラム２２は、第４ボタンＢ４がクリックされた場合は、決済ページ３４を表示させる。プログラム２２は、第４ボタンＢ４がクリックされない場合（Ｓ４０３ＮＯ）は、テンプレートページを表示させたまま処理を終了する（図１２  Ｂ参照）
図１５に示すように、プログラム２２は、取得した詳細データＲのうち、期限Ｒ６がある場合（Ｓ５０１）は、テンプレートページに期限に関するメッセージＭを表示する処理を実行させ（Ｓ５０２）、テンプレートページを表示したまま処理を終了する（図１２  Ｂ参照）。
【００４３】
以上説明した通り、本発明に係る知的財産管理システム１は、例えば、知的財産権の出願書類準備前段階と、出願書類作成から出願完了までの段階と、審査が行われている段階と、審査が完了し登録査定が下りてから以降の段階の４つの段階に分かれた、ステータス情報Ｓに対応して、第１テンプレートページ２４から第４テンプレートページ３０をユーザ端末４に表示することができる。このため、ユーザは、段階に応じた画面（ページ）で、知的財産に関する情報を確認することができる。この結果、知的財産に関する情報の手続きの進捗状況を容易に確認することができる。これにより、特に複雑な知的財産の管理において、ユーザはワークフローを認識しやすい。また、第１データベース１８に、レポートＲ４が記録されている際に、テンプレートページに第２ボタンＢ２が表示される。すなわち、レポートＲ４が登録されていない状態では、第２ボタンＢ２は表示されない。このため、ユーザはレポートが登録されたことを、第２ボタンＢ２が表示されたことで認識することができる。この結果、第１テンプレートページ２４から第４テンプレートページ３０の各テンプレートページにおいても、知的財産に関する情報の手続きの進捗状態が把握しやすい。費用Ｒ５が記録された場合も、同様に第４ボタンＢ４を認識することにより、ユーザは決済を行える状態であることが容易に認識できる。また、期限Ｒ６についても、同様に期限があることを容易に認識することができる。その結果、ユーザにとってワークフローが認識しやすい。
【００４４】
一方、本発明に係る知的財産管理システム１では、一覧ページ２３の第１ボタンＢ１がクリックされると、ステータス情報Ｓに応じて、４つのテンプレートページのうちの１つを選択する。このため、第１ボタンＢ１がクリックされた際に、演算部１６で行う演算処理は、第１データベース１８からステータス情報Ｓと詳細データＲを取得し、ステータス情報Ｓから第１テンプレートページ２４から第４テンプレートページ３０のいずれかを選択する処理だけでよい。この結果、ページの生成など、演算が必要な処理を実行する必要がない。その結果、サーバ装置２の演算負荷を下げることができる。これにより、テンプレートページを早く表示させることができる。
【００４５】
また、本発明に係る知的財産管理システム１のプログラム２２は、一覧ページ２３を生成する際に、暗号を作成する。プログラム２２は、第１ボタンＢ１がクリックされると、暗号を所得する処理を実行し、その後に、データベースへ再接続をする。このため、暗号を取得できない場合は、詳細データＲが取得出来ないようにすることができる。この結果、第１テンプレートページ２４から第４テンプレートページ３０に対し、詳細データＲを表示しないようにすることができる。これにより、知的財産管理システム１のセキュリティーが向上する。
【符号の説明】
【００４６】
１        ：知的財産管理システム
１６      ：演算部
１８      ：第１データベース
２３      ：一覧ページ
２４      ：第１テンプレートページ
２６      ：第２テンプレートページ
２８      ：第３テンプレートページ
３０      ：第４テンプレートページ
３２      ：回答ページ
３４      ：決済ページ
Ｂ１      ：第１ボタン
Ｂ２      ：第２ボタン
Ｂ３      ：第３ボタン
Ｂ４      ：第４ボタン
Ｍ        ：メッセージ
Ｒ        ：詳細データ
Ｒ４      ：レポート
Ｒ５      ：費用
Ｒ６      ：期限
Ｓ        ：ステータス情報
【図１】
2019204187.tif 000003
【図２】
2019204187.tif 000004
【図３】
2019204187.tif 000005
【図４】
2019204187.tif 000006
【図５】
2019204187.tif 000007
【図６】
2019204187.tif 000008
【図７】
2019204187.tif 000009
【図８】
2019204187.tif 000010
【図９】
2019204187.tif 000011
【図１０】
2019204187.tif 000012
【図１１】
2019204187.tif 000013
【図１２】
2019204187.tif 000014
【図１３】
2019204187.tif 000015
【図１４】
2019204187.tif 000016
【図１５】
2019204187.tif 000017